(57)【要約】【課題】印刷装置の電源制御、特に電源オフの制御条件をユーザの機器使用環境やユーザの希望に応じて詳細に設定できるようにし、ユーザに大きな負担を強いることなく印刷装置の電源を容易に自動遮断できるようにする。【解決手段】ホスト装置として動作する外部サーバ１１０から印刷装置の電源を遮断するに際し、外部サーバ１１０から印刷装置に印刷ジョブデータとともに電源オフコマンドを送信し、印刷ジョブの印刷後、電源オフコマンドで指定した実行条件、たとえば、引き続き実行した印刷ジョブの個数、経過時間、印刷装置に送信された電源オフコマンドの数などの条件に応じて印刷装置の電源を遮断する。【選択図】図１
2008155486.tif 000002
【特許請求の範囲】
【請求項１】
ホスト装置から印刷装置の電源を遮断するための印刷装置の制御方法において、
前記ホスト装置から前記印刷装置に印刷ジョブデータとともに電源オフコマンドを送信し、
前記印刷ジョブの印刷後、前記電源オフコマンドで指定した実行条件に応じて印刷装置の電源を遮断することを特徴とする印刷装置の制御方法。
【請求項２】
請求項１に記載の印刷装置の制御方法において、前記電源オフコマンドが印刷装置の印刷動作を制御するＰＤＬ言語により記述されることを特徴とする印刷装置の制御方法。
【請求項３】
請求項１に記載の印刷装置の制御方法において、前記電源オフコマンドにより、印刷装置で実行を許可する後続のジョブの印刷の個数を指定することを特徴とする印刷装置の制御方法。
【請求項４】
請求項１に記載の印刷装置の制御方法において、前記電源オフコマンドにより、印刷装置の電源オフを実行するまでの時間を指定することを特徴とする印刷装置の制御方法。
【請求項５】
請求項１に記載の印刷装置の制御方法において、複数個の電源オフコマンドが印刷装置に送信されたことを条件として印刷装置の電源遮断制御を開始することを特徴とする印刷装置の制御方法。
【請求項６】
請求項１に記載の印刷装置の制御方法において、印刷装置に複数個の電源オフコマンドが送信された場合、最後または最初に受信した電源オフコマンドで指定された条件で印刷装置の電源を遮断することを特徴とする印刷装置の制御方法。
【請求項７】
請求項１に記載の印刷装置の制御方法を実施すべく、印刷装置の構成ハードウェアを制御することを特徴とする印刷装置の制御プログラム。
【請求項８】
請求項１に記載の印刷装置の制御方法を実施すべく動作する構成ハードウェアを含むことを特徴とする印刷装置。
【発明の詳細な説明】
【技術分野】
【０００１】
本発明は、ホスト装置から印刷装置の電源を遮断するための印刷装置の制御方法、印刷装置の制御プログラム、およびその印刷装置に関するものである。
【背景技術】
【０００２】
従来より、印刷装置（プリンタ）はＰＣ（パーソナルコンピュータ）などのホスト装置の周辺機器として広く用いられており、ホスト装置側から印刷装置の電源を遠隔操作する技術が種々提案されている。
【０００３】
たとえば、ホスト装置のユーザーインターフェースを介して印刷装置などの周辺機器の電源をユーザが操作できるようにした構成（たとえば下記の特許文献１）が知られている。
【０００４】
また、印刷装置の電源オン／オフを遠隔操作により、所定の制御条件、たとえば印刷装置の過去の電源オン／オフ履歴などに基づき、自動的に制御する構成も提案されている（たとえば下記の特許文献２）。
【特許文献１】特開２０００−１４８３１２号公報
【特許文献２】特開２００４−２５２５００号公報
【発明の開示】
【発明が解決しようとする課題】
【０００５】
上記の従来技術のうち、特許文献２のように印刷装置の電源を自動制御する技術では、たとえば印刷装置の過去の電源オン／オフ履歴などに基づき電源オン／オフを行なう。しかし、このような自動的な制御がユーザの意図が反映されていない固定的な条件で行なわれる場合には、ユーザの機器使用環境に必ずしも適した制御を行なえるとは限らない。
【０００６】
一方、特許文献１のように、ホスト装置側からユーザ操作に応じて印刷装置の電源を制御する構成は、ユーザの機器使用環境に柔軟に対応できる、という点で基本的には好ましいと考えられる。
【０００７】
しかしながら、特許文献１のような構成では、ユーザ操作に応じて直ちに電源オン／オフを行なうだけであり、電源オンの場合はこれでも大きな問題がないが、電源オフについては、ユーザ操作に応じて直ちに電源オフを行なえるだけでは必ずしも充分ではない。
【０００８】
たとえば、あと３０分したら印刷装置のジョブ受付を締切り、印刷終了後、電源をオフにしたい、あるいはこの文書、あるいはこの文書と次の文書１つをプリントしたら印刷装置の電源をオフにしたい、といったユーザの需要はそれほど珍しいものではない、と考えられる。
【０００９】
このようなユーザの需要を考慮する際、重要と思われるのは、ユーザの終業時刻や、残っている印刷文書数などの条件は明確である一方、残りの印刷に要する時間はそれほど明瞭にはユーザが把握できない点である。
【００１０】
このような条件下において、ホスト装置側からユーザ操作に応じて直ちに電源オフを行なえるだけでは、ユーザは印刷装置の印刷動作終了を待ち、これを確認した上で、印刷装置の電源遮断操作を行なわなければならない。
【００１１】
印刷装置がホスト装置から離れた位置に設置してある場合は、印刷動作終了の確認を行なう作業は面倒である。また、印刷装置とホスト装置の距離によっては印刷動作終了の確認が実質上、不可能、あるいは困難な場合も考えられる（たとえばホスト装置のユーザがネットワーク経由で別の事業所にある印刷装置を用いて印刷する場合など）。
【００１２】
以上のように、従来では、印刷装置の電源制御、特に電源オフをユーザの機器使用環境やユーザの希望に応じて自動制御する技術が存在しない。
【００１３】
本発明の課題は、上記の問題を解決し、印刷装置の電源制御、特に電源オフの制御条件をユーザの機器使用環境やユーザの希望に応じて詳細に設定できるようにし、ユーザに大きな負担を強いることなく印刷装置の電源を容易に自動遮断できるようにすることにある。
【００１４】
たとえば、印刷装置に送信する印刷ジョブデータ内の制御言語の一部に、該印刷物の印刷後に該印刷装置の電源を切断する、といった命令コマンドを付加し、その条件を詳細に設定できるようにする。そして、ユーザが該印刷物の印刷終了後に、別途、該印刷装置の電源切断命令コマンドを該印刷装置に送信することなく、自動的に該印刷装置の電源を切断できるようにする。
【課題を解決するための手段】
【００１５】
上記課題を解決するため、本発明は、ホスト装置から印刷装置の電源を遮断するための印刷装置の制御方法、印刷装置の制御プログラム、およびその印刷装置において、前記ホスト装置から前記印刷装置に印刷ジョブデータとともに電源オフコマンドを送信し、前記印刷ジョブの印刷後、前記電源オフコマンドで指定した実行条件に応じて印刷装置の電源を遮断する構成を採用した。
【００１６】
あるいはさらに、前記電源オフコマンドが印刷装置の印刷動作を制御するＰＤＬ言語により記述される構成を採用した。
【００１７】
あるいはさらに、前記電源オフコマンドにより、印刷装置で実行を許可する後続のジョブの印刷の個数を指定する構成を採用した。
【００１８】
あるいはさらに、前記電源オフコマンドにより、印刷装置の電源オフを実行するまでの時間を指定する構成を採用した。
【００１９】
あるいはさらに、複数個の電源オフコマンドが印刷装置に送信されたことを条件として印刷装置の電源遮断制御を開始する構成を採用した。
【００２０】
あるいはさらに、印刷装置に複数個の電源オフコマンドが送信された場合、最後または最初に受信した電源オフコマンドで指定された条件で印刷装置の電源を遮断する構成を採用した。
【発明の効果】
【００２１】
以上の構成によれば、ホスト装置から印刷装置に印刷ジョブデータとともに電源オフコマンドを送信し、前記印刷ジョブの印刷後、前記電源オフコマンドで指定した実行条件、たとえば、引き続き実行した印刷ジョブの個数、経過時間、印刷装置に送信された電源オフコマンドの数などの条件に応じて、印刷装置の電源を遮断することができ、印刷装置の電源制御、特に電源オフの制御条件をユーザの機器使用環境やユーザの希望に応じて詳細に設定でき、ユーザに印刷装置の状態を監視させるなどの大きな負担を強いることなく、印刷を印刷装置に指令するタイミングで印刷装置の電源を容易に自動遮断できる、という優れた効果がある。
【００２２】
あるいはさらに、前記電源オフコマンドが印刷装置の印刷動作を制御するＰＤＬ言語により記述される構成によれば、印刷ジョブの一部として容易に電源オフコマンドを記述することができる。
【００２３】
あるいはさらに、印刷装置に複数個の電源オフコマンドが送信された場合、最後または最初に受信した電源オフコマンドで指定された条件で印刷装置の電源を遮断する構成によれば、電源オフの制御シーケンスを一旦開始した後でも新たな条件で電源オフの制御シーケンスを開始し直す、あるいはジョブの実行よりも電源ＯＦＦの実行を優先させるなどの柔軟な制御が可能となる。
【発明を実施するための最良の形態】
【００２４】
以下、図面に基づいて本発明を実施するための最良の形態の一例として、印刷装置、および印刷装置のホスト装置として機能する外部サーバを含む印刷システムに関する実施例を示す。
【実施例】
【００２５】
図１は本発明を採用した印刷装置およびこの印刷装置を含む印刷システムの構成を示している。
【００２６】
図１において、コントローラ１００は内部バス１０１、ホストＩ／Ｆ１０３、ＣＰＵ１０４、記憶手段１０５、エンジンインターフェイス（以下Ｉ／Ｆと略記する）１０６、およびパネルＩ／Ｆ１０７などで構成され、外部ネットワーク１０２と接続された外部サーバ１１０から画像データが送信される。
【００２７】
外部サーバ１１０は、いわゆるプリンタサーバなどとして動作するサーバ装置か、あるいはユーザが操作するＰＣなどから構成される。なお、外部サーバ１１０は図１の印刷装置に対しては印刷を指令する、という点では、ホスト装置として考えることもできる。
【００２８】
ＣＰＵ１０４は、記憶手段１０５にあらかじめ記憶させたプログラム、パネル装置１０９からのモード指示、あるいは外部サーバ１１０からコマンド（命令）によってコントローラ１００全体を制御する中央処理装置である。
【００２９】
また、ＣＰＵ１０４は、記憶手段１０５に記憶された印刷データを解析し、印刷ジョブデータ、および印刷装置制御コマンドの解析を行なう。ＣＰＵ１０４の制御には、ＲＡＭ１０４ａがワークエリアとして用いられる。
【００３０】
記憶手段１０５は、パネル装置１０９からのモード指示の内容や、印刷ジョブデータなどを保持することが可能な記憶装置である。記憶手段１０５は、たとえばＨＤＤ（ハードディスクドライブ）などから構成される。
【００３１】
エンジンＩ／Ｆ１０６は、エンジン１０８とコマンドおよびステータスや印刷データの通信を行なうインターフェース、エンジン１０８は、任意の印刷方式、たとえば電子写真方式やインクジェット方式などにより構成されたプリンタエンジンである。
【００３２】
パネルＩ／Ｆ１０７は、パネル装置１０９とコマンドおよびステータスの通信を行なうインターフェースである。パネル装置１０９は、キーボードや表示装置などを含み、オペレータがモード指示を行ったり、オペレータに現在の印刷装置の状態を知らせたりするために用いられる。
【００３３】
また、ホストＩ／Ｆ１０３は、外部サーバ１１０と通信を行なうインターフェースであり、ネットワークＩ／Ｆ、あるいはＵＳＢ、ＩＥＥＥ１３９４、セントロニクスなどのインターフェース仕様に沿って構成される。
【００３４】
コントローラ１００は、外部サーバ１１０から印刷すべき文字情報や画像情報を受信する。これら印刷データは所定の印刷ジョブ（ジョブデータ）形式で送信され、記憶手段１０５などに記憶される。コントローラ１００は、受信した印刷データを解析して、記録紙１ページ分ずつのプリントデータを生成し、記憶手段１０５に記憶する。生成された記録紙１ページ分ずつのプリントデータは、エンジンＩ／Ｆ１０６からエンジン１０８に出力され、記録紙に印刷される。
【００３５】
図２は、外部サーバ１１０から図１の印刷装置のコントローラ１００に送信される印刷ジョブデータの構造を示した図である。
【００３６】
図２に示すように、本実施例では、印刷ジョブデータの先頭に機器制御プロトコル２０１が記述され、その一部として、たとえばこの印刷ジョブデータの印刷終了後に該印刷装置の電源を自動的に切断する電源ＯＦＦコマンド２０２を含む。その後に、この印刷ジョブで印刷すべき画像データの詳細が記述されたＰＤＬ言語２０３が配置されている。
【００３７】
電源ＯＦＦコマンド２０２の書式は任意であるが、たとえばこの印刷装置の印刷データを記述するＰＤＬ言語の言語仕様の一部に含めることができる。これにより、印刷ジョブの一部として容易に電源オフコマンドを記述することができる。
【００３８】
また、図３は印刷ジョブデータの異なる構造を示している。図３のように、該印刷ジョブデータの印刷終了後に印刷装置の電源を切断する電源ＯＦＦコマンド２０２は印刷ジョブデータの最後に付加する形態でも、実施可能である。
【００３９】
図４は、図２あるいは図３に示した電源ＯＦＦコマンドの構成例を示している。
【００４０】
図示のように、電源ＯＦＦコマンドの先頭にはコマンドＩＤ３０１が配置され、その付加情報として、電源ＯＦＦモード情報３０２が配置されている。
【００４１】
電源ＯＦＦモード情報３０２としては、たとえば、次のようなモードを指定できるようにする。
【００４２】
まず、ここでは、電源ＯＦＦが指定された後、後続の印刷ジョブデータが該印刷装置に送信された場合、指定した個数の印刷ジョブの印刷を許可し、その後電源を遮断するモードをＡとする。
【００４３】
また、該印刷ジョブが終了し、任意の時間が経過した場合、電源を遮断するモードをＢとする。
【００４４】
さらに、モードＣはモードＡとモードＢの複合で、該印刷ジョブデータの印刷中に他の印刷ジョブデータが印刷装置に送信された場合、指定した個数の印刷ジョブの印刷を許可し、かつ最後のジョブが印刷された後、任意の時間が経過した場合に自動的に該印刷装置の電源を自動的に切断するモードである。
【００４５】
上記の電源ＯＦＦコマンドを含み送信される印刷ジョブデータに後続してさらに印刷ジョブデータが送信されると、これら印刷ジョブデータも記憶手段１０５に記憶される。
【００４６】
図４の電源ＯＦＦコマンドでは、後続のジョブ印刷を許可する場合、付加情報として、何個まで後続のジョブ印刷を許可するかを決定する後続ジョブ印刷数３０３を記述することができる。たとえば、後続ジョブ印刷数を３に設定した場合、当該電源ＯＦＦコマンドを含み送信される印刷ジョブデータの印刷後、最大３つまでの後続ジョブの印刷を許可する。
【００４７】
さらに図３の電源ＯＦＦコマンドでは、付加情報として、電源切断までの時間を指定する情報３０４を付加することができる。
【００４８】
この情報は、当該電源ＯＦＦコマンドを含み送信される印刷ジョブデータの印刷後、何分後に該印刷装置の電源を切断するかを決定する情報である。たとえば、電源切断までの時間を指定する情報３０４を３０分と設定した場合、該印刷ジョブデータの印刷後、３０分後に、印刷装置の電源を自動的に遮断する。
【００４９】
以上に説明したこれらの付加情報は、図１の印刷装置のパネルＩ／Ｆ１０７から入力し、機器の情報として保持することも可能である。
【００５０】
図５は、本実施例における印刷処理手順を示したものである。図５の制御手順は図１のＣＰＵ１０４の主導により実行されるもので、ＣＰＵ１０４の制御プログラムとして記憶手段１０５（あるいは不図示のＲＯＭなど）に格納しておく。
【００５１】
図５の制御手順は、図１の印刷装置が外部サーバ１１０から印刷ジョブを受信した場合の処理として記述されている。
【００５２】
図５において、印刷装置が印刷ジョブデータを受信すると、この印刷ジョブデータに電源ＯＦＦコマンドが含まれているか否かを判定する（ステップＳ１１）。印刷ジョブデータに電源ＯＦＦコマンドが含まれていない場合は、受信した印刷ジョブデータに基づき印刷処理を行なう（ステップＳ１７）。
【００５３】
一方、電源ＯＦＦコマンドを受信した場合は、電源ＯＦＦモードの判定を行なう（ステップＳ１２）。すなわち、受信した電源ＯＦＦコマンドの電源ＯＦＦモード情報３０２を解析し、時間条件で電源ＯＦＦを行なうモードＢか、後続印刷ジョブ数に応じて電源ＯＦＦを行なうモードＡのいずれが指定されているかを判定する。
【００５４】
ここで時間条件電源ＯＦＦモードＢが指定されている場合は、ステップＳ１３でその指定時間をカウントする不図示の電源ＯＦＦタイマをスタートさせる。この電源ＯＦＦタイマは、設定された時間をカウントしてタイムアップすると、たとえば割込み処理などを起動してＣＰＵ１０４に電源遮断処理を実行させる。なお、ＣＰＵ１０４にタイマ割込みがかかった時、印刷処理を実行中である場合は直ちに電源をＯＦＦすることも考えられるが、たとえばＣＰＵ１０４は実行中の印刷ジョブを終了してから電源遮断処理を実行するようにしてもよい。
【００５５】
一方、ステップＳ１２の判定で、後続印刷ジョブ数に応じて電源ＯＦＦを行なうモードＡの場合は、ステップＳ１４で後続ジョブが到来するのを待つ。ここで後続ジョブが受信された場合は、ステップＳ１５でこの後続ジョブを印刷して良いかどうか判定する。すなわち、ステップＳ１５では、受信済みの電源ＯＦＦコマンドで指定された後続ジョブ印刷数（３０３）だけ印刷を既に実行済みか否かを調べ、この数のジョブを印刷していなければ後続ジョブの印刷を許可（ステップＳ１７へ移行）する。指定された数の後続ジョブ印刷を既に実行している場合には、ステップＳ１６で電源を遮断する。
【００５６】
なお、ステップＳ１５の制御は、後続ジョブ印刷数３０３で指定された数を不図示のジョブ数カウンタなどに設定しておき、ジョブ実行ごとにダウンカウントするなどの制御を行なうことによっても実現できる。
【００５７】
また、電源ＯＦＦモードで、上記モードＡとモードＢの複合モードであるモードＣが指定されている場合は、たとえばステップＳ１３でタイマがスタートされた後、ステップＳ１４以降の動作を行なえばよい。
【００５８】
また、ステップＳ１２の判定で、電源ＯＦＦの条件指定がない（モードＡ〜Ｃのいずれのモードも指定されていない）場合には、ステップＳ１６に移行して直ちに電源を遮断する。
【００５９】
以上のようにして、図１の印刷装置に対して印刷ジョブとともに電源ＯＦＦコマンドを送信して、その後の電源遮断処理を自動的に制御することができる。その場合、ユーザは、直ちに電源ＯＦＦを行なわせることができる他、指定した数の印刷ジョブを実行した後電源ＯＦＦを行なうモードＡ、所定時間後に電源ＯＦＦを行なうモードＢ、モードＡとＢの複合モードＣを指定することができる。これにより、ユーザの作業に適したモードＡ〜Ｃのいずれかにより印刷装置の電源を自動的に遮断することができる。そして、上記実施例によれば、従来のようにユーザに印刷装置の動作状況を確認させるような負担を強いることなく、印刷を印刷装置に指令するタイミングで自動的に印刷装置の電源を遮断することができる。
【００６０】
図６は印刷ジョブデータとともに送信し、印刷装置の電源を自動的に切断するための異なる電源ＯＦＦコマンドの構成を示している。なお、図６以外のハードウェアおよびソフトウェア構成は図１〜図５で示したものと同様であるものとする。
【００６１】
図６の電源ＯＦＦコマンドは、図１の印刷装置に対してネットワーク経由で複数のホスト装置から複数の電源ＯＦＦコマンドを多重的に受信するような状況を考慮したものである。
【００６２】
このため、図６の電源ＯＦＦコマンドでは、図４で示した３０１〜３０４のコマンドデータの他に、電源ＯＦＦコマンドスキップ数情報３０５を追加してある。
【００６３】
この電源ＯＦＦコマンドスキップ数情報３０５は、たとえば、印刷ジョブキューで複数個の電源ＯＦＦコマンドが設定されていた場合、その電源ＯＦＦコマンドより前に指定された電源ＯＦＦコマンドをいくつスキップ（無効）にできるか、という情報とする。この電源ＯＦＦコマンドスキップ数情報３０５を有効にするかどうかは、同様に電源ＯＦＦモード情報３０２で指定できるようにしておく。
【００６４】
図７に、スキップされる場合の例を説明するための、ジョブキューの状態を示す。
【００６５】
この例では、５個のジョブがキューに存在し、ジョブ３とジョブ５に電源ＯＦＦコマンドが設定されている。この場合、ジョブ５の電源ＯＦＦコマンドスキップ数情報に０が設定されていた場合、ジョブ５の電源ＯＦＦコマンドは無効となる。
【００６６】
一方、ジョブ５の電源ＯＦＦコマンドスキップ数情報に１以上の値が設定されていた場合、この電源ＯＦＦコマンドは有効となり、ジョブ３の電源ＯＦＦコマンドはスキップされ、無効となる。すなわち、ジョブ３の電源ＯＦＦコマンドにより開始されていた電源ＯＦＦ制御（具体的には電源ＯＦＦタイマとジョブ数のカウント）が全て停止され、ジョブ５の電源ＯＦＦコマンドにより新たな電源ＯＦＦ制御が開始される。
【００６７】
以上のように、後続の電源ＯＦＦコマンドにより、先行する電源ＯＦＦコマンドの制御を無効にできる構成により、電源オフの制御シーケンスを一旦開始した後でも新たな条件で電源オフの制御シーケンスを開始し直すことができる。これにより、状況に応じた柔軟な電源制御が可能となる。たとえば、ユーザがある印刷ジョブ終了後に印刷装置の電源をオフしようとしたが、その後、１つあるいは複数の文書の印刷が残っていたことに気がついた、というような状況にも容易に対応できる。
【００６８】
なお、上記の図６、図７の例では、後続の電源ＯＦＦコマンドが先行する電源ＯＦＦコマンドの制御を無効にする処理を行なうものとしたが、逆に先行する電源ＯＦＦコマンドが後続の電源ＯＦＦコマンドの制御を無効にする処理を行なうようにしてもよい。このような構成によれば、ジョブの実行よりも電源ＯＦＦの実行を優先させたい、というようなユーザの事情にも容易に対応できる。
【００６９】
また、上記のように電源ＯＦＦコマンドスキップ数情報によりスキップ（無効に）できる電源ＯＦＦコマンドの数を指定する他、先行する、あるいは後続の電源ＯＦＦコマンドの制御を全て無効にするような制御情報を電源ＯＦＦコマンドで送信できるようにしてもよい。
【００７０】
あるいは、印刷装置に、異なる複数のジョブとともに複数の電源ＯＦＦコマンドが送信されたことを条件として初めて電源ＯＦＦコマンド（たとえば最後の電源ＯＦＦコマンド）により指定された電源オフの制御を開始するような構成を用いてもよい。
【００７１】
また、上記の電源ＯＦＦコマンドによる電源ＯＦＦ、あるいは、図６、図７に示したように、他の電源ＯＦＦコマンドの制御を無効にする制御は、セキュリティ上、特定のホスト装置や、ユーザのみが実行できるように制御することが考えられる。
【００７２】
このためには、ホスト装置名（あるいはＩＰアドレスなど）、ユーザ名などの情報を電源ＯＦＦコマンド（または印刷ジョブ）で印刷装置に送信する。そして、あらかじめメモリテーブルなどとして設定しておいたホスト装置名（あるいはＩＰアドレス）、ユーザ名などと照合し、当該電源ＯＦＦコマンドによる制御を許可するかどうかを決定すればよい。さらに、必要であれば、パスワードや公開鍵情報などの認証情報を印刷装置に送信して照合させることによって、より厳重なセキュリティ制御を行なうことができる。
【産業上の利用可能性】
【００７３】
本発明は、印刷装置、および印刷装置のホスト装置を含む印刷システムにおいて実施することができる。本発明を実施するために必要な制御プログラムは、あらかじめ印刷装置およびホスト装置のＲＯＭやＨＤＤなどの記憶媒体に格納しておくことができる。また、ＭＯやＣＤ−ＲＯＭなどの記憶メディアからインストール／アップデートすることができる。また、印刷装置やホスト装置がネットワークインターフェースを有している場合は、任意のサーバからネットワーク経由で供給することもできる。
【図面の簡単な説明】
【００７４】
【図１】本発明を採用した印刷装置を含む印刷システムの構成を示したブロック図である。
【図２】図１の印刷システムで用いられる印刷ジョブデータ構造の一例を示した説明図である。
【図３】図１の印刷システムで用いられる印刷ジョブデータ構造の一例を示した説明図である。
【図４】図１の印刷システムで用いられる印刷装置の電源ＯＦＦコマンドの一例を示した説明図である。
【図５】図１の印刷システムにおいて、印刷装置の電源ＯＦＦコマンドにより実行される自動電源ＯＦＦ制御の流れを示したフローチャート図である。
【図６】図１の印刷システムで用いられる印刷装置の電源ＯＦＦコマンドの異なる構成を示した説明図である。
【図７】図６の電源ＯＦＦコマンドが適用される印刷状況の一例を示した説明図である。
【符号の説明】
【００７５】
１００  コントローラ
１０１  内部バス
１０２  外部ネットワーク
１０３  ホストＩ／Ｆ
１０４  ＣＰＵ
１０５  記憶手段
１０６  エンジンＩ／Ｆ
１０７  パネルＩ／Ｆ
１０８  エンジン
１０９  パネル装置
１１０  外部サーバ
２０１  機器制御プロトコル
２０２  電源ＯＦＦコマンド
２０３  ＰＤＬ言語
３０１  コマンドＩＤ
３０２  電源ＯＦＦモード情報
３０３  後続ジョブ印刷数情報
３０４  電源切断までの時間情報
３０５  電源ＯＦＦコマンドスキップ数情報
４０１  ジョブキュー
【図１】
2008155486.tif 000003
【図２】
2008155486.tif 000004
【図３】
2008155486.tif 000005
【図４】
2008155486.tif 000006
【図５】
2008155486.tif 000007
【図６】
2008155486.tif 000008
【図７】
2008155486.tif 000009